【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
複数の睡眠呼吸障害患者の診断データおよび加療データを総合的に管理する電子システムであって、
患者データを含む電子患者記録を記憶するように構成された１つまたは複数のメモリ装置と、
前記メモリと通信状態にある１つまたは複数のプロセッサと
を備えてなり、
前記１つまたは複数のプロセッサは、
診断に関連するデータを受け取り、前記患者記録に記憶し、診断に関係する医療従事者に、前記患者管理の診断段階において前記電子患者記録へのアクセス権を与え、前記診断段階は、前記患者が処方された治療に従って治療を受ける加療段階に入る前に発生し、
加療に関連するデータを受け取り、前記電子患者記録に記憶し、治療を行う医療従事者に、前記患者管理の前記加療段階において前記電子患者記録へのアクセス権を与える
ように構成される電子システム。
【請求項２】
前記１つまたは複数のプロセッサの少なくとも１つが、前記診断段階または前記加療段階のいずれかにおいて生成されたリポートおよび処方を前記電子患者記録に記憶するように構成される請求項１に記載の電子システム。
【請求項３】
前記診断段階が終わると、前記１つまたは複数のプロセッサの少なくとも１つが、前記治療を行う医療従事者に通知し、前記患者の治療データおよび処方データの少なくとも一方へのアクセス権を提供するように構成される請求項１または２に記載の電子システム。
【請求項４】
前記１つまたは複数のプロセッサの少なくとも１つが、前記電子患者記録の治療の処方から治療設定を取得し、該治療設定を使用して患者の治療機器を自動的に設定するように構成される請求項１または２に記載の電子システム。
【請求項５】
前記自動的な設定がネットワーク接続またはメモリカードを介して実行される請求項４に記載の電子システム。
【請求項６】
前記電子システムが、前記診断段階および前記加療段階の両方で単一のソフトウェアプラットフォームで動作するように構成される請求項１に記載の電子システム。
【請求項７】
前記電子システムが、前記診断段階および前記加療段階両方のデータを処理するように構成された１つまたは複数のサーバを備える請求項１に記載の電子システム。
【請求項８】
前記電子患者記録が作成されると、前記１つまたは複数のプロセッサの少なくとも１つが、前記診断段階または前記加療段階のいずれかに関係する従事者に、前記診断段階および前記加療段階の両方における前記電子患者記録へのアクセス権を与えるように構成される請求項１に記載の電子システム。
【請求項９】
前記少なくとも１つのプロセッサが、前記診断段階では診断機器からのデータを処理し、前記加療段階では加療用医療機器からのデータを処理するように構成され、前記加療用医療機器は、呼吸治療に使用される人工呼吸器である請求項１に記載の電子システム。
【請求項１０】
睡眠呼吸障害の診断および加療を提供する方法であって、
１つまたは複数のコンピューティング機器が、複数の医療機器使用者の医療機器データを受信するステップと、
前記１つまたは複数のコンピューティング機器が前記医療機器データを記憶するステップと、
前記１つまたは複数のコンピューティング機器が、前記医療機器の識別データに基づいて、前記医療機器データを診断情報として処理するか、または遵守情報として処理するかを判定するステップと、
前記医療機器データが診断データとして処理される場合、前記１つまたは複数のコンピューティング機器が所定の分析基準に基づいて診断情報を生成するステップと、
前記１つまたは複数のコンピューティング機器が、臨床診断リポートの少なくとも１つを関係する治療提供者に電子的に転送することを可能にするステップであって、前記診断リポートは前記診断情報に基づくものである、ステップと、
前記１つまたは複数のコンピューティング機器が、前記診断リポートに関連付けられた治療機器に治療設定を送信するステップと
を含んでなる方法。
【請求項１１】
前記医療機器データを受信するステップは、前記医療機器の１つにアップロード可能なデータがある旨の信号を受信するステップをさらに含む請求項１０に記載の方法。
【請求項１２】
前記医療機器は、在宅睡眠検査機器、または呼吸治療に使用される人工呼吸器である請求項１０または１１に記載の方法。
【請求項１３】
生成される診断リポートは、
診断を支援する統計表示を含み、
健康管理の専門家が自身の臨床的解釈を入力することができるエリアを提供する、請求項１０に記載の方法。
【請求項１４】
前記診断リポートは、１つまたは複数の治療機器と、患者に使用されるべき１つまたは複数の治療設定とを識別する治療の処方を含む請求項１３に記載の方法。
【請求項１５】
治療を受ける準備が整った患者に治療提供者を割り当てるステップと、
前記患者の診断情報を、前記割り当てられた治療提供者に転送するステップと、
前記診断情報から、前記患者が使用する治療機器に治療設定を電子的に取り込むステップと
を含む、請求項１０に記載の方法。 
【手続補正２】
【補正対象書類名】明細書
【補正対象項目名】０１８４
【補正方法】変更
【補正の内容】
【０１８４】
したがって、本技術の主旨および範囲から逸脱することなく、例示的な実施形態には多数の変更を加えることができ、他の構成を案出できることを理解されたい。
（請求項１）
睡眠呼吸障害の診断中および治療中に患者データを処理する方法であって、
１つまたは複数のコンピューティング機器が患者の電子患者記録を生成するステップと、
前記患者の診断段階において、前記１つまたは複数のコンピューティング機器が前記電子患者記録に診断データを記憶するステップと、
前記１つまたは複数のコンピューティング機器が、診断提供者に前記電子患者記録へのアクセス権を与えるステップと、
前記患者の治療段階において、前記１つまたは複数のコンピューティング機器が、治療提供者に前記電子患者記録へのアクセス権を与えるステップと、
前記１つまたは複数のコンピューティング機器が、前記電子患者記録を更新して治療データを含めるステップと
を含んでなる方法。
（請求項２）
前記方法が、前記診断段階または前記治療段階のいずれかにおいて生成されたリポートおよび処方を前記電子患者記録に記憶するステップをさらに含む請求項１に記載の方法。
（請求項３）
前記方法が、前記診断段階が終わると、
前記治療提供者に新しい患者を電子的に通知するステップと、
前記患者の診断データおよび処方データの少なくとも一方へのアクセス権を前記治療提供者に与えるステップと
をさらに含む請求項１または２に記載の方法。
（請求項４）
治療の処方にある治療設定が、前記電子患者記録から取得されて、前記患者のために治療機器を自動的に設定するために使用される請求項１から３のいずれか１項に記載の方法。
（請求項５）
前記自動的な設定がネットワーク接続またはメモリカードを介して実行される請求項４に記載の方法。
（請求項６）
前記診断段階において前記電子患者記録を記憶するステップと、前記治療段階において前記電子患者記録を更新するステップとが、単一のデータプラットフォームで行われる請求項１から５のいずれか１項に記載の方法。
（請求項７）
前記診断段階において前記電子患者記録を記憶するステップと、前記治療段階において前記電子患者記録を更新するステップとが、サーバの単一の物理的システムで行われる請求項１から６のいずれか１項に記載の方法。
（請求項８）
前記電子患者記録が作成されると、前記診断段階または前記治療段階のいずれかに関係する医療従事者に、前記診断段階および前記治療段階の両方における前記電子患者記録へのアクセス権が与えられる請求項１から７のいずれか１項に記載の方法。
（請求項９）
前記診断段階が、診断機器からデータを受信することを含み、前記治療段階が、治療機器からデータを受信することを含み、前記治療機器は、呼吸治療のための人工呼吸器である請求項１から８のいずれか１項に記載の方法。
（請求項１０）
複数の睡眠呼吸障害患者の診断データおよび治療データを総合的に管理する電子システムであって、
患者データを含む電子患者記録を記憶するように構成された１つまたは複数のメモリと、
前記メモリと通信状態にある１つまたは複数のプロセッサと
を備えてなり、
前記１つまたは複数のプロセッサは、
診断データを受け取り、前記患者記録に記憶し、患者管理の診断段階で前記電子患者記録へのアクセス権を診断提供者に与え、
治療データを受け取り、前記電子患者記録に記憶し、前記患者管理の治療段階で前記電子患者記録へのアクセス権を治療提供者に与える
ように構成される電子システム。
（請求項１１）
前記１つまたは複数のプロセッサの少なくとも１つが、前記診断段階または前記治療段階のいずれかにおいて生成されたリポートおよび処方を前記電子患者記録に記憶するように構成される請求項１０に記載の電子システム。
（請求項１２）
前記診断段階が終わると、前記１つまたは複数のプロセッサの少なくとも１つが、前記治療提供者への通知の送信を可能にし、前記患者の診断データ、処方データ、および治療データの少なくとも１つへのアクセス権を前記治療提供者に与えるように構成される請求項１０または１１に記載の電子システム。
（請求項１３）
前記１つまたは複数のプロセッサの少なくとも１つが、前記電子患者記録の治療の処方から治療設定を取得し、該治療設定を使用して患者の治療機器を自動的に設定するように構成される請求項１０から１２のいずれか１項に記載の電子システム。
（請求項１４）
前記自動的な設定がネットワーク接続またはメモリカードを介して実行される請求項１３に記載の電子システム。
（請求項１５）
前記電子システムが、前記診断段階および前記治療段階の両方で単一のデータプラットフォームで動作するように構成され、前記１つまたは複数のプロセッサの少なくとも１つが、前記治療段階で前記患者の治療機器から治療データを受信するように構成される請求項１０から１４のいずれか１項に記載の電子システム。
（請求項１６）
前記電子システムが、前記診断段階および前記治療段階両方のデータを処理するように構成された１つまたは複数のサーバを備える請求項１０から１５のいずれか１項に記載の電子システム。
（請求項１７）
前記電子患者記録が作成されると、前記１つまたは複数のプロセッサの少なくとも１つが、前記診断段階または前記治療段階のいずれかに関係する提供者に、前記診断段階および前記治療段階の前記電子患者記録へのアクセス権を与えるように構成される請求項１０から１６のいずれか１項に記載の電子システム。
（請求項１８）
前記少なくとも１つのプロセッサが、前記診断段階では診断機器からのデータを処理し、前記治療段階では治療機器からのデータを処理するように構成され、前記治療機器は、呼吸治療に使用される人工呼吸器である請求項１０から１７のいずれか１項に記載の電子システム。
（請求項１９）
睡眠呼吸障害の診断および治療を提供する方法であって、
１つまたは複数のコンピューティング機器が複数の患者の医療機器データを受信するステップと、
前記１つまたは複数のコンピューティング機器が前記医療機器データを記憶するステップと、
前記１つまたは複数のコンピューティング機器が、前記医療機器の識別データに関係する所定の基準に基づいて、前記医療機器データを診断データとして処理するか、または治療データとして処理するかを判定するステップと、
前記医療機器データが診断データと判定された場合、前記１つまたは複数のコンピューティング機器が所定の分析基準に基づいて診断情報を生成するステップと、
前記１つまたは複数のコンピューティング機器が、治療提供者への診断リポートおよび治療の処方の少なくとも一方の電子的な転送を可能にするステップであって、前記診断リポートおよび前記処方のいずれかが前記診断データに基づくものである、ステップと、
前記１つまたは複数のコンピューティング機器が治療設定を治療機器に送信するステップであって、前記治療設定は、前記診断リポートおよび前記処方の少なくとも一方に関連付けられている、ステップと
を含んでなる方法。
（請求項２０）
前記医療機器データを受信するステップは、前記医療機器の１つにアップロード可能なデータがある旨の信号を受信するステップをさらに含む請求項１９に記載の方法。
（請求項２１）
前記医療機器は、在宅睡眠検査機器、または呼吸治療に使用される人工呼吸器である請求項１９または２０に記載の方法。
（請求項２２）
生成される診断リポートは、
前記診断データの要約統計を含み、
前記診断リポートおよび前記処方のいずれかが点検のために前記診断提供者に表示された時に、診断提供者が自身の臨床的解釈を入力することができるエリアを提供する
請求項１９から２１のいずれか１項に記載の方法。
（請求項２３）
前記診断リポートは、１つまたは複数の治療機器と、それぞれの患者に使用されるべき１つまたは複数の治療設定とを識別する治療の処方を含む請求項２２に記載の方法。
（請求項２４）
診断リポートが、ウェブブラウザにＨＴＭＬとして、またはＰｏｒｔａｂｌｅ  Ｄｏｃｕｍｅｎｔ  Ｆｏｒｍａｔ（ＰＤＦ）として表示される請求項１９から２３のいずれか１項に記載の方法。
（請求項２５）
治療を受ける準備が整った患者に治療提供者を割り当てることを可能にするステップと、
前記割り当てられた治療提供者に、前記患者の診断データを転送するか、前記患者の診断データへのアクセスを許すステップと、
前記診断データから、前記患者が使用する治療機器に電子的に治療設定を取り込むステップと
を含む請求項１９から２４のいずれか１項に記載の方法。
（請求項２６）
複数の睡眠呼吸障害患者の診断データおよび治療データを総合的に電子管理する装置であって、
医療データを記憶するように構成されたメモリと、
前記メモリと通信状態にある１つまたは複数のプロセッサと
を備えてなり、
前記１つまたは複数のプロセッサは、
複数の患者の医療機器データを受信し、
前記受信した医療機器データを対応する患者記録に関連付け、
受信した医療機器データが診断データであるか、または使用状況データであるかを判定し、
前記受信した医療機器データが診断データであるか、または治療の使用状況データであるかの前記判定に従って前記患者記録を更新する
ように構成される装置。
（請求項２７）
前記１つまたは複数のプロセッサは、
治療提供者のシステム内に治療提供者のリストを記憶し、
前記リストを表示する要求を診断提供者から受信する
ように構成される請求項２６に記載の装置。
（請求項２８）
前記１つまたは複数のプロセッサは、
前記複数の医療機器から診断データを受信し、
所定の分析基準のセットを使用して前記診断データを処理することにより要約統計を生成し、
診断提供者によって生成された要求を受信し、
前記要求に応答して、前記要約統計を含む診断リポートを送信する
ように構成される請求項２６または２７に記載の装置。
（請求項２９）
前記１つまたは複数のプロセッサは、
診断リポートを記憶し、
少なくとも治療機器および治療機器設定の選択を含む処方を記憶し、
診断提供者によって生成されたメモを記憶し、
前記診断リポート、前記処方、および前記メモを、選択された治療提供者に送信する
ようにさらに構成される請求項２６から２８のいずれか１項に記載の装置。
（請求項３０）
前記１つまたは複数のプロセッサは、
前記選択された治療提供者に、患者記録の診断データおよび／または処方データへのアクセスを許し、
前記治療提供者が利用することが可能な患者リストを、少なくとも１つの新しい患者記録で動的に更新し、
前記新しい患者記録を前記患者リストに表示する
ように構成される請求項２９に記載の装置。
（請求項３１）
前記１つまたは複数のプロセッサは、
患者情報および前記治療の処方を、治療提供者の選択に応じて表示し、
前記処方に対応する治療機器ＩＤを患者に割り当てる要求を受信し、
臨床設定情報を前記処方から前記治療機器の前記メモリに自動的に転送する
ように構成される請求項２６から３０のいずれか１項に記載の装置。